(57)【要約】【課題】  壁に固定する状態と固定しない状態のどちらでも用いることができ、シンプルで取付けの容易な手摺のエンドエルボの提供を目的とする。【解決手段】  エルボ本体１とキャップ２とを備え、エルボ本体１は、手摺３の端部に固定する手摺端部固定部４と、壁面５に対して固定自在な壁面固定自在部６と、手摺端部固定部４と壁面固定自在部６を繋ぐ曲線状の連結部７とを有するものであり、キャップ２は、壁面固定自在部６を被覆するものであり且つ壁面固定自在部６に着脱可能に設けたものであることを特徴とする。【選択図】      図１（ａ）（ｂ）
2005226340.tif 000002
【特許請求の範囲】
【請求項１】
エルボ本体とキャップとを備え、エルボ本体は、手摺の端部に固定する手摺端部固定部と、壁面に対して固定自在な壁面固定自在部と、手摺端部固定部と壁面固定自在部を繋ぐ曲線状の連結部とを有するものであり、キャップは、壁面固定自在部を被覆するものであり且つ壁面固定自在部に着脱可能に設けたものであることを特徴とする手摺のエンドエルボ。
【請求項２】
エルボ本体は、その側面から斜め方向に壁面固定自在部を貫通するネジで壁面に固定またはキャップを着脱自在にするものであることを特徴とする請求項１記載の手摺のエンドエルボ。
【発明の詳細な説明】
【技術分野】
【０００１】
本発明は、廊下や階段等の壁面に設置される手摺の端部に取り付けるエンドエルボに関するものである。
【背景技術】
【０００２】
廊下や階段の壁面には、金属製のパイプ等を利用した手摺が設置されているが、手摺の端部が突き出た状態になっていると、衣服の袖口が引っ掛かったりして好ましくないので、手摺の端部にＬ形に曲がったパイプ状のエンドエルボを壁に向けて取り付けている。エンドエルボの壁側の端部は、壁に固定される場合もあるし、固定せずにキャップで覆っただけの場合もある。壁に固定する場合の一般的な構造としては、図５に示すように、手摺９０とエンドエルボ９１を接続金具９２により連結すると共に、エンドエルボ９１の壁側端部をフランジ金具９３を用いて壁に固定するものがある。このようなフランジ金具を用いないで壁に固定する構造としては、特許文献１に開示されているように、手摺の端部と壁面とに筒状のブラケットを取り付けておき、エンドエルボの両側の開口部を各ブラケットの外側に嵌め込んでビスで固定する構造がある。壁に固定せずにキャップで塞ぐものとしては、特許文献２に開示されているように、キャップの裏面側に設けた突起部を、エンドエルボの壁側端部に差し込んで係止取付けするものがある。
【特許文献１】特開平９−１９５４７５号公報
【特許文献２】特開平３−２３３０６８号公報
【発明の開示】
【発明が解決しようとする課題】
【０００３】
上述の図５の構造によってエンドエルボを手摺端部と壁面に固定して取付ける場合には、エルボ本体の他に接続金具やフランジ金具といった部品が必要となるのでコスト高となっており、またそれら複数の部品を順番に取付けなければならないので取付けに時間が掛かる。また、特許文献１記載のものでは、手摺を下方からのブラケットで壁に固定した後でエンドエルボを取付けることができず、長い手摺を設置する場合などには施工上不便であると考えられる。またこれらの壁に固定するタイプのエンドエルボは、壁に固定しない状態で用いることはできず、手摺と壁の間隔が変わるごとに製作しなければならない。一方、壁に固定しないで端部をキャップで塞ぐタイプのエンドエルボは、壁に固定する状態で用いることはできなかった。本発明は以上に述べた実情に鑑みてなされたものであって、壁に固定する状態と固定しない状態のどちらでも用いることができ、シンプルで取付けの容易な手摺のエンドエルボの提供を目的とする。
【課題を解決するための手段】
【０００４】
上記の課題を達成するために請求項１記載の発明の手摺のエンドエルボは、エルボ本体とキャップとを備え、エルボ本体は、手摺の端部に固定する手摺端部固定部と、壁面に対して固定自在な壁面固定自在部と、手摺端部固定部と壁面固定自在部を繋ぐ曲線状の連結部とを有するものであり、キャップは、壁面固定自在部を被覆するものであり且つ壁面固定自在部に着脱可能に設けたものであることを特徴とする。
【０００５】
さらに請求項２記載の発明は、エルボ本体は、その側面から斜め方向に壁面固定自在部を貫通するネジで壁面に固定またはキャップを着脱自在にするものであることを特徴とする。
【発明の効果】
【０００６】
請求項１記載の発明による手摺のエンドエルボは、エルボ本体に壁面固定自在部を有し、壁面固定自在部にこれを被覆するキャップを着脱自在に設けたものであるので、壁面固定自在部を壁面に直接固定して用いることができ、手摺と壁面の間隔がより広い場合には壁面固定自在部にキャップを取り付けて、壁面に固定しない状態でも用いることができる。また、エルボ本体に手摺端部固定部と壁面固定自在部を有しており、フランジ金具等の他の部品を使用しないことから、構成がシンプルで安価に提供することができ、取付け作業も短時間で簡単に行える。
【０００７】
請求項２記載の発明による手摺のエンドエルボは、エルボ本体の側面より壁面固定自在部を斜めに貫通するネジにより壁面固定自在部の壁面への固定、及びキャップの着脱を行うようにしたので、壁面への固定作業とキャップの着脱を、壁面固定自在部を壁面側に向けた状態で前方より簡便に行えるので、施工性が一層向上する。また、壁面固定自在部をフランジ状に張り出させる必要がないので、手摺端部の体裁が良くなる。
【発明を実施するための最良の形態】
【０００８】
以下、本発明の実施の形態を図面に基づいて説明する。本発明の手摺のエンドエルボは、図３に示すようにエルボ本体１とキャップ２とを備えており、エルボ本体１は、一端側に手摺端部固定部４を有し、他端側に壁面固定自在部６を有し、手摺端部固定部４と壁面固定自在部６との間に１／４円弧状に９０°曲がった連結部７を有している。本エンドエルボは、キャップ２をエルボ本体１の壁面固定自在部６に取り付けたときには、図１（ａ）及び図２に示すように、壁面５に固定しない状態で手摺３端部に取り付けできるものであり、キャップ２を取り外したときには、図１（ｂ）に示すように、壁面固定自在部６をネジ９で壁面５に直接固定して設置することもできるものである。
【０００９】
エルボ本体１の手摺端部固定部４は、手摺３の端部を内部に挿入できる円筒状に形成され、その上下面側から捩じ込んだネジ１３により手摺３端部に固定できる。壁面固定自在部６は、図４に示すように外形が上下方向に長い楕円状となっており、図１に示すように、上面側と下面側より、壁面固定自在部６の端面に向けて斜めに貫通するネジ挿通孔１０とネジ用の座ぐり穴１１をそれぞれ形成してある。したがって壁面固定自在部６は、固定用の特別な金具を用いることなく、壁面固定自在部を壁面に当接した状態で、前方の上面側と下面側からネジ９を斜めに壁面５に捩じ込むことにより、簡単に壁面５に固定できる。また、壁面固定自在部６にフランジ状に張り出す部分がなく、手摺端部固定部４から連続的な形状となっているので、手摺端部の体裁が非常に良好となる。なお、壁面固定自在部６と壁面５との間に隙間がある場合には、ライナーを間に挟んで壁面固定自在部６を壁面５に固定してもよい。
【００１０】
キャップ２は、壁面固定自在部６を壁面５に固定しない場合にその端面を被覆するものであり、キャップ取付用のネジ８の挿通孔は、先に述べた壁面固定用の斜めのネジ挿通孔１０と共通である。使用するネジ８は、壁面固定用のネジ９よりも短いものである。キャップ２は、壁面固定自在部６への取付面に位置決め用の突起１２を有しており、また表面側は角のない椀形に形成してある。
【００１１】
エルボ本体１とキャップ２はダイキャスト成形品であり、材質はエルボ本体１の方が亜鉛合金等の金属製、キャップ２の方がＡＢＳ等の樹脂製としてあるが、これに限ったものではない。
【図面の簡単な説明】
【００１２】
【図１（ａ）（ｂ）】本発明の手摺のエンドエルボの使用状態を示す縦断面図であって、（ａ）は壁面に固定しない状態で用いる場合、（ｂ）は壁面に固定する状態で用いる場合を示している。
【図２】本発明の手摺のエンドエルボの使用状態を示す横断面図であって、壁面に固定しない状態で用いる場合を示している。
【図３】本発明の手摺のエンドエルボの使用状態を示す斜視図であって、壁面に固定しない状態で用いる場合を示している。
【図４】エルボ本体の壁面固定自在部の正面図である。
【図５】従来の手摺端部の構造の一例を示す斜視図である。
【符号の説明】
【００１３】
１  エルボ本体
２  キャップ
３  手摺
４  手摺端部固定部
５  壁面
６  壁面固定自在部
７  連結部
８，９  ネジ
【図１（ａ）（ｂ）】
2005226340.tif 000003
【図２】
2005226340.tif 000004
【図３】
2005226340.tif 000005
【図４】
2005226340.tif 000006
【図５】
2005226340.tif 000007